(57)【要約】      （修正有）【課題】ディスプレイのバックライトを点灯させるためのオン設定機能が有効になったこと又は無効になったことをディスプレイに表示させることなくユーザーに知らしめることができるリモコン装置を提供する。【解決手段】リモコン装置では、バックライト設定ボタンを押している間にバックライトが点灯状態から消灯に切り換わるので、ユーザーはバックライト・オン設定機能が有効から無効に切り換わったことを切換操作中に視覚的に認知することができる。したがって、ディスプレイに［バックライト・オン設定機能］が無効になっている旨の表示をする必要がなくなる。【選択図】図３Ｂ
2015095858.tif 000002
【特許請求の範囲】
【請求項１】
操作時にディスプレイのバックライトを一定時間だけ点灯させるオン設定機能を有するリモコン装置であって、
前記オン設定機能を有効または無効にするボタン（３９３）を備え、
前記オン設定機能の有効時に前記ボタン（３９３）が長押しされたとき、前記バックライトが第１時間だけ点灯した後に消灯して、前記オン設定機能が有効から無効に切り換わり、
前記オン設定機能の無効時に前記ボタン（３９３）が長押しされたとき、前記オン設定機能が無効から有効に切り換わる、
リモコン装置（３０）。
【請求項２】
前記オン設定機能の無効時に前記ボタン（３９３）が長押しされたとき、前記バックライトが第２時間だけ消灯状態を維持した後に点灯して、前記オン設定機能が無効から有効に切り換わる、
請求項１に記載のリモコン装置（３０）。
【請求項３】
前記第１時間が、前記一定時間よりも短く設定されている、
請求項１に記載のリモコン装置（３０）。
【請求項４】
前記ボタン（３９３）の長押しに要する時間が、前記第１時間よりも長く設定されている、
請求項１に記載のリモコン装置（３０）。
【請求項５】
前記ボタン（３９３）の長押しに要する時間が、前記第２時間よりも長く設定されている、
請求項２に記載のリモコン装置（３０）。
【発明の詳細な説明】
【技術分野】
【０００１】
本発明は、ディスプレイの裏面から照明するバックライトを有するリモコン装置に関する。
【背景技術】
【０００２】
操作時にディスプレイのバックライトを点灯させるタイプのリモコン装置において、バックライトのオン設定時の電池寿命は、バックライトを点灯させないタイプに比べて３０％程度短くなる。
【０００３】
それゆえ、特許文献１（特開平１０−０２６７４９号公報）に記載のリモコン装置では、ディスプレイのバックライトをオン・オフする手動スイッチと、手動スイッチのオンで所定時間の計時を開始して計時終了でバックライトをオフにするタイマとを設けて、バックライト点灯による電力消費を抑制している。
【０００４】
また、上記のリモコン装置は、ユーザーが操作の度にバックライトをオンするか否かを選択するので、不要ならば手動スイッチを押さなければバックライトが点灯することはない。
【発明の概要】
【発明が解決しようとする課題】
【０００５】
しかしながら、近年のリモコン装置では、バックライトのオン設定を有効にするか否かを選択することができるように切換手段が設けられており、一旦、バックライトのオン設定が有効にされると、その後は、ユーザーの意思に関係なく操作の度にバックライトが点灯する。そして、バックライトの点灯を求めないユーザーは切換手段でバックライトのオン設定を無効にする必要がある。
【０００６】
この種のリモコン装置では、バックライトのオン設定が有効か否かをユーザーに認知させる必要があるが、当該設定が有効か否かをディスプレイに表示させることが設計上困難な機種もある。
【０００７】
そこで、本発明の課題は、ディスプレイのバックライトを点灯させるためのオン設定機能が有効になったこと又は無効になったことをディスプレイに表示させることなくユーザーに知らしめることができるリモコン装置を提供することにある。
【課題を解決するための手段】
【０００８】
本発明の第１観点に係るリモコン装置は、操作時にディスプレイのバックライトを一定時間だけ点灯させるオン設定機能を有するリモコン装置であって、そのオン設定機能を有効又は無効にするボタンを備えている。オン設定機能の有効時にボタンが長押しされたとき、バックライトが第１時間だけ点灯した後に消灯して、オン設定機能が有効から無効に切り換わる。また、オン設定機能の無効時にボタンが長押しされたとき、オン設定機能が無効から有効に切り換わる。
【０００９】
このリモコン装置では、「ボタンの長押し」という動作と、「バックライトが第１時間点灯後に消灯する」という事象との組み合わせが、ユーザーに［オン設定機能］が無効になったことを知らしめるので、ディスプレイに［オン設定機能］が無効になっている旨の表示をする必要がない。
【００１０】
本発明の第２観点に係るリモコン装置は、第１観点に係るリモコン装置であって、オン設定機能の無効時にボタンが長押しされたとき、バックライトが第２時間だけ消灯状態を維持した後に点灯して、オン設定機能が無効から有効に切り換わる。
【００１１】
このリモコン装置では、「ボタンの長押し」という動作と、「バックライトが第２時間だけ消灯状態を維持した後に点灯する」という事象との組み合わせが、ユーザーに［オン設定機能］が有効になったことを知らしめるので、ディスプレイに［オン設定機能］が有効になっている旨の表示をする必要がない。
【００１２】
本発明の第３観点に係るリモコン装置は、第１観点に係るリモコン装置であって、第１時間が一定時間よりも短く設定されている。
【００１３】
このリモコン装置では、バックライトが点灯している間は電池が消耗しており、その点灯時間を長くすることは電池の短寿命化を招来することになるので、バックライトのオン設定機能を有効から無効に切り換える際の点灯時間を、通常操作時のバックライト点灯時間よりも短くすることによって、電池の長寿命化を図ることができる。
【００１４】
本発明の第４観点に係るリモコン装置は、第１観点に係るリモコン装置であって、ボタンの長押しに要する時間が、第１時間よりも長く設定されている。
【００１５】
このリモコン装置では、ボタンを押している間にバックライトが点灯状態から消灯に切り換わるので、ユーザーに対し、バックライトのオン設定機能が有効から無効に切り換わったことを切換操作中に視覚的に知らしめることができる。
【００１６】
本発明の第５観点に係るリモコン装置は、第２観点に係るリモコン装置であって、ボタンの長押しに要する時間が第２時間よりも長く設定されている。
【００１７】
このリモコン装置では、ボタンを押している間にバックライトが消灯状態から点灯に切り換わるので、ユーザーに対し、バックライトのオン設定機能が無効から有効に切り換わったことを切換操作中に視覚的に知らしめることができる。
【発明の効果】
【００１８】
本発明の第１観点に係るリモコン装置では、「ボタンの長押し」という動作と、「バックライトが第１時間点灯後に消灯する」という事象との組み合わせが、ユーザーに［オン設定機能］が無効になったことを知らしめるので、ディスプレイに［オン設定機能］が無効になっている旨の表示をする必要がない。
【００１９】
本発明の第２観点に係るリモコン装置では、「ボタンの長押し」という動作と、「バックライトが第２時間だけ消灯状態を維持した後に点灯する」という事象との組み合わせが、ユーザーに［オン設定機能］が有効になったことを知らしめるので、ディスプレイに［オン設定機能］が有効になっている旨の表示をする必要がない。
【００２０】
本発明の第３観点に係るリモコン装置では、バックライトが点灯している間は電池が消耗しており、その点灯時間を長くすることは電池の短寿命化を招来することになるので、バックライトのオン設定機能を有効から無効に切り換える際の点灯時間を、通常操作時のバックライト点灯時間よりも短くすることによって、電池の長寿命化を図ることができる。
【００２１】
本発明の第４観点に係るリモコン装置では、ボタンを押している間にバックライトが点灯状態から消灯に切り換わるので、ユーザーに対し、バックライトのオン設定機能が有効から無効に切り換わったことを切換操作中に視覚的に知らしめることができる。
【００２２】
本発明の第５観点に係るリモコン装置では、ボタンを押している間にバックライトが消灯状態から点灯に切り換わるので、ユーザーに対し、バックライトのオン設定機能が無効から有効に切り換わったことを切換操作中に視覚的に知らしめることができる。
【図面の簡単な説明】
【００２３】
【図１】本発明の一実施形態に係るリモコン装置の正面図。
【図２】リモコン装置の制御ブロック図。
【図３Ａ】バックライト・オン設定機能を無効から有効へ切り換えるときの信号入力の態様を示す模式図。
【図３Ｂ】バックライト・オン設定機能を有効から無効へ切り換えるときの信号入力の態様を示す模式図。
【図４Ａ】バックライト・オンオフ設定制御のうちのオン制御のフローチャート。
【図４Ｂ】バックライト・オンオフ設定制御のうちのオフ制御のフローチャート。
【発明を実施するための形態】
【００２４】
以下図面を参照しながら、本発明の実施形態について説明する。なお、以下の実施形態は、本発明の具体例であって、本発明の技術的範囲を限定するものではない。
【００２５】
（１）リモコン装置３０の構成
図１は、本発明の一実施形態に係るリモコン装置３０の正面図である。図１において、リモコン装置３０は、空気調和機用のリモコンであって、ケーシング３１と、ディスプレイ３３と、操作ボタン群４１と、制御部５０（図２参照）とを備えている。
【００２６】
（１−１）ケーシング３１
ケーシング３１は、略直方体形状を呈しており、内側に制御部５０等を収容する。
【００２７】
（１−２）ディスプレイ３３
ディスプレイ３３は、液晶表示装置によって構成されている。
【００２８】
（１−３）操作ボタン群４１
操作ボタン群４１は、大別すると、運転／停止ボタン３５、温度設定ボタン３７及び機能選択ボタン群３９で構成されている。運転／停止ボタン３５は、使用者による空気調和機の運転の開始や運転の停止の指示を受け付ける。温度設定ボタン３７は、使用者による設定温度の指示を受け付ける。
【００２９】
また、機能選択ボタン群３９は、少なくともモード選択ボタン３９１及びバックライト設定ボタン３９３を含んでいる。モード選択ボタン３９１は、冷房運転、暖房運転などの運転モードを選択するためのボタンである。また、バックライト設定ボタン３９３、バックライトを一定時間だけ点灯させるオン設定機能を有効又は無効にするためのボタンである。
【００３０】
（１−４）制御部５０
図２は、リモコン装置３０の制御ブロック図である。図２において、制御部５０は、指令部５１、記憶部５２及びタイマ５３を含んでいる。また、制御部５０は、運転／停止ボタン３５、温度設定ボタン３７、機能選択ボタン群３９の各ボタンと接続されており、各ボタンに対応する動作の制御信号を室内機側制御装置に送信する。
【００３１】
また、制御部５０は、ディスプレイ３３と接続されており、各ボタンが押されることによって進行する動作の状況、結果などの事項をディスプレイ３３に表示させる。一般的な例を言えば、現在の設定温度が「２３℃」と表示されているときに、温度設定ボタン３７を押して設定温度を２℃上昇させると「２５℃」を表示する。
【００３２】
また、制御部５０は、操作ボタン群４１のいずれかのボタンが押されると、バックライトが約５秒間点灯してディスプレイ３３を裏面から照らして、暗い所でも各表示内容が明瞭に見えるようにする制御も行う。
【００３３】
（２）バックライト・オン設定機能
制御部５０は、バックライト設定ボタン３９３を介して所定の操作を受けたときに、バックライトを点灯させる機能を有効、又は無効にする制御も行う。なお、説明の便宜上、バックライトを点灯させる機能を「バックライト・オン設定機能」と呼び、バックライト・オン設定機能を有効又は無効にする制御を「バックライト・オンオフ設定制御」と呼ぶ。
【００３４】
図３Ａは、バックライト・オン設定機能を無効から有効へ切り換えるときの信号入力の態様を示す模式図である。図３Ａにおいて、ＯＦＦ設定（バックライト・オン設定機能が無効）になっているときに、バックライト設定ボタン３９３が長押しされ、その信号入力時間ｔがｔｘ秒以上になると、ＯＮ設定（バックライト・オン設定機能が有効）に切り換わり、一定時間だけバックライトが点灯する。
【００３５】
図３Ｂは、バックライト・オン設定機能を有効から無効へ切り換えるときの信号入力の態様を示す模式図である。図３Ｂにおいて、ＯＮ設定（バックライト・オン設定機能が有効）になっているときに、バックライト設定ボタン３９３が押されてバックライトが点灯するが、バックライト設定ボタン３９３がそのまま長押しされ、その信号入力時間ｔがｔｙ秒以上になると、ＯＦＦ設定（バックライト・オン設定機能が無効）に切り換わり、バックライトが消灯する。
【００３６】
なお、本実施形態に係るリモコン装置３０では、ｔｘ＝ｔｙ＝ｔａであり、ｔａは１秒以上が適切であり、実使用ではｔａ＝２秒が好ましい。
【００３７】
（３）バックライト・オンオフ設定制御
以下、バックライト・オンオフ設定制御について、フローチャートを用いて説明する。
【００３８】
（３−１）バックライト・オン設定機能を有効にする場合
図４Ａは、バックライト・オンオフ設定制御のうちのオン制御のフローチャートである。図４Ａにおいて、制御部５０はステップＳ１でバックライト設定ボタン３９３からの入力信号が有るか否かを判定し、その入力信号があるときはステップＳ２へ進み、その入力信号がないときは判定動作を継続する。
【００３９】
次に、制御部５０は、ステップＳ２において「バックライト・オン設定機能」が無効になっている否かを判定し、その機能が無効になっているときはステップＳ３へ進み、その機能が有効になっているときは、Ｂルーチンへ進む。
【００４０】
次に、制御部５０は、ステップＳ３においてタイマを設定し、バックライト設定ボタン３９３からの信号入力の長さｔの計測を開始し、ステップＳ４へ進む。
【００４１】
次に、制御部５０は、ステップＳ４において信号入力の長さｔが所定時間ｔａに達したか否かを判定し、信号入力の長さｔが所定時間ｔａに達しているときはステップＳ５に進み、信号入力の長さｔが所定時間ｔａに達していないときはステップＳ７へ進む。
【００４２】
次に、制御部５０は、ステップＳ５においてバックライト・オン設定機能を有効にしてステップＳ６へ進む。そして、制御部５０は、ステップＳ６においてバックライトを一定時間だけ点灯させる。
【００４３】
なお、制御部５０がステップＳ４において信号入力の長さｔが所定時間ｔａに達していないと判定してステップＳ７へ進んだときは、ステップＳ７において信号入力がまだ継続しているか否かを判定し、信号入力がまだ継続しているときはステップＳ４へ戻り、信号入力が途切れた場合は制御を終了する。
【００４４】
以上のように、ユーザーは、「バックライト設定ボタン３９３の長押し」という動作と、「バックライトがｔａ秒後に点灯する」という事象とによって［バックライト・オン設定機能］が有効になったことを認知することができる。
【００４５】
（３−２）バックライト・オン設定機能を無効にする場合
図４Ｂは、バックライト・オンオフ設定制御のうちのオフ制御のフローチャートである。図４Ａ及び図４Ｂにおいて、制御部５０は、ステップＳ３において「バックライト・オン設定機能」が有効になっていると判定したときは、Ｂルーチンへ進み、バックライト・オンオフ設定制御のうちのオフ制御を行う。
【００４６】
先ず、制御部５０は、ステップＳ１２においてバックライトを点灯させ、ステップＳ１３に進む。
【００４７】
次に、制御部５０は、ステップＳ１３においてタイマを設定し、バックライト設定ボタン３９３からの信号入力の長さｔの計測を開始し、ステップＳ１４へ進む。
【００４８】
次に、制御部５０は、ステップＳ１４において信号入力の長さｔが所定時間ｔａに達したか否かを判定し、信号入力の長さｔが所定時間ｔａに達しているときはステップＳ１５に進み、信号入力の長さｔが所定時間ｔａに達していないときはステップＳ１７へ進む。
【００４９】
次に、制御部５０は、ステップＳ１５においてバックライト・オン設定機能を無効にしてステップＳ１６へ進む。そして、制御部５０は、ステップＳ１６においてバックライトを消灯させる。
【００５０】
なお、制御部５０がステップＳ１４において信号入力の長さｔが所定時間ｔａに達していないと判定してステップＳ１７へ進んだときは、ステップＳ１７において信号入力がまだ継続しているか否かを判定し、信号入力がまだ継続しているときはステップＳ１４へ戻り、信号入力が途切れた場合は制御を終了する。
【００５１】
以上のように、ユーザーは、「バックライト設定ボタン３９３の長押し」という動作と、「バックライトがｔａ秒間点灯後に消灯する」という事象とによって［バックライト・オン設定機能］が無効になったことを認知することができる。
【００５２】
（４）特徴
（４−１）
リモコン装置３０では、バックライト設定ボタン３９３を押している間にバックライトが点灯状態から消灯に切り換わるので、ユーザーはバックライト・オン設定機能が有効から無効に切り換わったことを切換操作中に視覚的に認知することができる。したがって、ディスプレイ３３に［バックライト・オン設定機能］が無効になっている旨の表示をする必要がなくなる。
【００５３】
（４−２）
リモコン装置３０では、バックライト設定ボタン３９３を押している間にバックライトが消灯状態から点灯に切り換わるので、ユーザーはバックライト・オン設定機能が無効から有効に切り換わったことを切換操作中に視覚的に認知することができる。したがって、ディスプレイ３３に［バックライト・オン設定機能］が有効になっている旨の表示をする必要がなくなる。
【００５４】
（４−３）
リモコン装置３０では、バックライト・オン設定機能を有効から無効に切り換える際の点灯時間を、通常操作時のバックライト点灯時間よりも短くすることによって、電池の長寿命化を図ることができる。
【産業上の利用可能性】
【００５５】
本発明は、リモコン装置の電力消費を抑制することができるので、空気調和機のリモコン装置に限らず、ディスプレイを有するリモコン装置に広く利用することができる。
【符号の説明】
【００５６】
３０      リモコン装置
３９３    バックライト設定ボタン
【先行技術文献】
【特許文献】
【００５７】
【特許文献１】特開平１０−０２６７４９号公報
【図１】
2015095858.tif 000003
【図２】
2015095858.tif 000004
【図３Ａ】
2015095858.tif 000005
【図３Ｂ】
2015095858.tif 000006
【図４Ａ】
2015095858.tif 000007
【図４Ｂ】
2015095858.tif 000008